(57)【特許請求の範囲】
【請求項１】
所定数のビットを備えた変調およびコーディング方式（ＭＣＳ）フィールドを有する制御フレームを用いたワイヤレス通信用の装置であって、
前記制御フレームの前記ＭＣＳフィールドを介して第１の情報を指示することと、前記第１の情報が、好適なＭＣＳレベルである、
前記ＭＣＳフィールドを介して前記第１の情報と異なる第２の情報を指示することと、前記第２の情報が、制御フレームタイプである、
を行うように構成された処理システムと、
送信のために前記制御フレームを提供するように構成されたインターフェースと、前記ＭＣＳフィールドが、前記所定数のビットによって許容される１組の値のうちの１つを伝達する、
前記制御フレームの送信に基づいて確認応答（ＡＣＫ）フレームを受信するように構成された第２のインターフェースと、前記ＡＣＫフレームが、アイドル期間またはＡＣＫ識別拡張の少なくとも一方を指示する継続時間フィールドを備える、
を備え、前記処理システムが、
前記１組の値の第１の部分集合を介して前記好適なＭＣＳレベルを指示し、
前記１組の値の第２の部分集合を介して前記制御フレームタイプを指示し、
前記継続時間フィールドが前記アイドル期間を指示する場合は、前記アイドル期間の間は送信を実行することを控え、
前記継続時間フィールドが前記ＡＣＫ識別拡張を指示する場合は、前記ＡＣＫ識別拡張に基づき、前記制御フレームタイプが成功裏に指示されたかどうかを決定するように構成される、装置。
【請求項２】
前記制御フレームタイプが前記ＡＣＫフレームの受信を容易にする、請求項１に記載の装置。
【請求項３】
上りデータ指示（ＵＤＩ）フィールドを有する、制御フレームを用いたワイヤレス通信用の装置であって、前記フィールドが所定数のビットを有し、前記装置が、
前記制御フレームの前記ＵＤＩフィールドを介して第１の情報を指示することと、
前記第１の情報が、データが前記装置における上り送信のために利用可能であるかどうかを指示するためのＵＤＩである、
前記ＵＤＩフィールドを介して前記第１の情報と異なる第２の情報を指示することと、前記第２の情報は通信のために用いられるチャネルの指示である、
を行うように構成された処理システムと、
送信のために前記制御フレームを提供するように構成されたインターフェースと、前記ＵＤＩフィールドが、１組の値のうちの１つを伝達する、
前記制御フレームの送信に基づいて確認応答（ＡＣＫ）を受信するように構成された第２のインターフェースと、前記ＡＣＫフレームが、アイドル期間またはＡＣＫ識別拡張の少なくとも一方を指示する継続時間フィールドを備える、
を備え、前記処理システムが、
前記１組の値の第１の部分集合を介して前記第１の情報を指示し、
前記１組の値の第２の部分集合を介して通信のために用いられる前記チャネルを指示し、
前記継続時間フィールドが前記アイドル期間を指示する場合は、前記アイドル期間の間は送信を実行することを控え、
前記継続時間フィールドが前記ＡＣＫ識別拡張を指示する場合は、前記ＡＣＫ識別拡張に基づき、制御フレームタイプが成功裏に指示されたかどうかを決定するように構成される、装置。
【請求項４】
いくつかのビットが、１２ビットを備える、請求項３に記載の装置。
【請求項５】
前記制御フレームが、ヌルデータパケット（ＮＤＰ）電力節約（ＰＳ）ポーリングフレームである、請求項１乃至３のいずれか１項に記載の装置。
【請求項６】
所定数のビットを備えた変調およびコーディング方式（ＭＣＳ）フィールドを有する、制御フレームを用いたワイヤレス通信用の方法であって、前記方法は、装置が実行し、前記方法は、
前記制御フレームの前記ＭＣＳフィールドを介して第１の情報を指示すること、前記第１の情報が、好適なＭＣＳレベルである、または、
前記フィールドを介して前記第１の情報と異なる第２の情報を指示すること、前記第２の情報が、制御フレームタイプである、および、
送信のために前記制御フレームを提供すること、前記ＭＣＳフィールドが、前記所定数のビットによって許容される１組の値のうちの１つを伝達する、
前記制御フレームの送信に基づいて確認応答（ＡＣＫ）フレームを受信すること、前記ＡＣＫフレームが、アイドル期間またはＡＣＫ識別拡張の少なくとも一方を指示する継続時間フィールドを備える、
前記継続時間フィールドが前記アイドル期間を指示する場合は、前記アイドル期間の間は送信を実行することを控えることと、
前記継続時間フィールドが前記ＡＣＫ識別拡張を指示する場合は、前記ＡＣＫ識別拡張に基づいて、前記制御フレームタイプが成功裏に指示されたかどうかを決定することと
を備え、
前記指示することが、
前記１組の値の第１の部分集合を介して前記好適なＭＣＳレベルを指示すること、
または、
前記１組の値の第２の部分集合を介して前記制御フレームタイプを指示すること
をさらに備える、方法。
【請求項７】
前記制御フレームタイプが前記ＡＣＫフレームの受信を容易にする、請求項６に記載の方法。
【請求項８】
上りデータ指示（ＵＤＩ）フィールドを有する制御フレームを用いたワイヤレス通信用の方法であって、前記方法は、装置が実行し、前記フィールドが所定数のビットを有し、前記方法が、
前記制御フレームの前記ＵＤＩフィールドを介して第１の情報を指示すること、前記第１の情報が、データが装置における上り送信のために利用可能であるかどうかを指示するためのＵＤＩである、または、
前記ＵＤＩフィールドを介して前記第１の情報と異なる第２の情報を指示すること、前記第２の情報は通信のために用いられるチャネルの指示である、および、
送信のために前記制御フレームを提供すること、
前記ＵＤＩフィールドが、１組の値のうちの１つを伝達する、
前記制御フレームの送信に基づいて確認応答（ＡＣＫ）フレームを受信すること、前記ＡＣＫフレームが、アイドル期間またはＡＣＫ識別拡張の少なくとも一方を指示する継続時間フィールドを備える、
前記継続時間フィールドが前記アイドル期間を指示する場合は、前記アイドル期間の間は送信を実行することを控えることと、
前記継続時間フィールドが前記ＡＣＫ識別拡張を指示する場合は、前記ＡＣＫ識別拡張に基づいて、制御フレームタイプが成功裏に指示されたかどうかを決定することと
を備え、前記指示することが、
前記１組の値の第１の部分集合を介して前記第１の情報を指示することと、
前記１組の値の第２の部分集合を介して通信のために用いられる前記チャネルを指示することと、をさらに備える、方法。
【請求項９】
前記第２の情報が動作チャネルオフセットを指示する、請求項８に記載の方法。
【請求項１０】
いくつかのビットが、１２ビットを備える、請求項８に記載の方法。
【請求項１１】
前記制御フレームが、ヌルデータパケット（ＮＤＰ）電力節約（ＰＳ）ポーリングフレームである、請求項６乃至８のいずれか１項に記載の方法。
【発明の詳細な説明】
【技術分野】
【０００１】
関連出願の相互参照
[0001]本出願は、その開示の全体が参照により本明細書に明示的に組み込まれる、２０１３年１１月４日に出願された「ＤＥＦＩＮＩＴＩＯＮ  ＯＦ  ＤＩＦＦＥＲＥＮＴ  ＮＤＰ  ＰＳ−ＰＯＬＬ  ＴＹＰＥＳ」と題する、米国仮出願第６１／８９９，８７８号と、２０１４年１１月３日に出願された「ＤＥＦＩＮＩＴＩＯＮ  ＯＦ  ＤＩＦＦＥＲＥＮＴ  ＮＤＰ  ＰＳ−ＰＯＬＬ  ＴＹＰＥＳ」と題する、米国特許出願第１４／５３１，９６９号との利益を主張する。
【０００２】
[0002]本開示は、一般に通信システムに関し、より詳細には、ワイヤレス通信システムにおいて、異なるヌルデータパケット（ＮＤＰ）電力節約（ＰＳ）ポーリングタイプを定義することに関する。
【背景技術】
【０００３】
[0003]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）として指定されるであろう。ネットワークはまた、様々なネットワークノードとデバイスとを相互接続するために使用されるスイッチング／ルーティング技法（たとえば、回線交換対パケット交換）、送信に採用される物理媒体のタイプ（たとえば、有線対ワイヤレス）、および使用される通信プロトコルのセット（たとえば、インターネットプロトコルスイート、同期光ネットワーキング（ＳＯＮＥＴ）、イーサネット（登録商標）など）に応じて異なる。
【０００４】
[0004]ワイヤレスネットワークは、しばしば、ネットワーク要素がモバイルであり、そのため動的接続性の必要があるとき、またはネットワークアーキテクチャが、固定ではなくアドホックなトポロジーで形成される場合に好適である。ワイヤレスネットワークは、無線、マイクロ波、赤外線、光などの周波数帯域内の電磁波を使用して、非誘導伝搬モードで無形物理媒体を採用する。ワイヤレスネットワークは、有利なことに、固定有線ネットワークと比較して、ユーザモビリティと迅速なフィールド展開とを容易にする。
【発明の概要】
【０００５】
[0005]本発明のシステム、方法、およびデバイスは各々いくつかの態様を有し、それらのうちの単一の態様が単独で本発明の望ましい属性を担うとは限らない。次に、以下の特許請求の範囲によって表される本発明の範囲を限定することなしに、いくつかの特徴について手短に説明する。この説明を考察すれば、特に「発明を実施するための形態」と題するセクションを読めば、本発明の特徴が、ワイヤレスネットワークにおけるデバイス用の改善された狭帯域チャネル選択を含む利点をどのように提供するかが理解されよう。
【０００６】
[0006]本開示のある態様は、プロセッサとインターフェース（たとえば、回路）とを含むワイヤレス通信用の装置を提供する。プロセッサは、制御フレームのフィールドを介して第１の情報を指示し、そのフィールドを介して前記第１の情報と異なる第２の情報を指示するように構成される。インターフェースは、送信のために制御フレームを提供するように構成される。制御フレームは、ヌルデータパケット（ＮＤＰ）電力節約（ＰＳ）ポーリングフレームであり得る。
【０００７】
[0007]本開示の別の態様は、制御フレームのフィールドを介して第１の情報を指示することと、フィールドを介して第１の情報と異なる第２の情報を指示することと、送信のために制御フレームを提供することとを含むワイヤレス通信の方法を、ある装置において提供する。制御フレームは、ヌルデータパケット（ＮＤＰ）電力節約（ＰＳ）ポーリングフレームであり得る。
【０００８】
[0008]本開示のある態様は、制御フレームのフィールドを介して第１の情報を指示するための手段と、フィールドを介して第１の情報と異なる第２の情報を指示するための手段と、送信のために制御フレームを提供するための手段とを含むワイヤレス通信用の装置を提供する。制御フレームは、ヌルデータパケット（ＮＤＰ）電力節約（ＰＳ）ポーリングフレームであり得る。
【０００９】
[0009]本開示の別の態様は、ある装置におけるワイヤレス通信用のコンピュータプログラム製品を提供するのであるが、このコンピュータプログラム製品は、制御フレームのフィールドを介して第１の情報を指示し、フィールドを介して第１の情報と異なる第２の情報を指示し、送信のために制御フレームを提供するように実行可能な命令を有するコンピュータ可読媒体を備える。制御フレームは、ヌルデータパケット（ＮＤＰ）電力節約（ＰＳ）ポーリングフレームであり得る。
【００１０】
[0010]本開示のさらなる態様は、制御フレームを用いたワイヤレス通信用の基地局を提供する。この基地局は、少なくとも１つのアンテナと、処理システムと、インターフェース（たとえば、回路）とを含む。処理システムは、制御フレームのフィールドを介して第１の情報を少なくとも１つのアンテナを介して指示し、フィールドを介して第１の情報と異なる第２の情報を指示するように構成される。インターフェースは、送信のために制御フレームを提供するように構成される。
【００１１】
[0011]本開示のある態様は、プロセッサとインターフェース（たとえば、回路）とを含むワイヤレス通信用の装置を提供する。プロセッサは、第１の情報と関連する制御フレームのフィールドにおいて１組のビットを決定し、第１の情報を指示するための１組のビットの部分集合を定義し、定義された部分集合にない１組のビットのうちの少なくとも１つのビットを介して第１の情報とは異なる第２の情報を指示するように構成される。インターフェースは、送信のために制御フレームを提供するように構成される。
【００１２】
[0012]本開示の別の態様は、ある装置においてワイヤレス通信の方法を提供し、この方法は、第１の情報と関連する制御フレームのフィールドにおいて１組のビットを決定することと、第１の情報を指示するための１組のビットの部分集合を定義することと、定義された部分集合にない１組のビットのうちの少なくとも１つのビットを介して第１の情報とは異なる第２の情報を指示することと、送信のために制御フレームを提供することとを含む。
【００１３】
[0013]本開示のある態様は、ワイヤレス通信用の装置を提供し、この装置は、第１の情報と関連する制御フレームのフィールドにおいて１組のビットを決定するための手段と、第１の情報を指示するための１組のビットの部分集合を定義するための手段と、定義された部分集合にない１組のビットのうちの少なくとも１つのビットを介して第１の情報とは異なる第２の情報を指示するための手段と、送信のために制御フレームを提供するための手段とを含む。
【００１４】
[0014]本開示の別の態様は、ある装置におけるワイヤレス通信用のコンピュータプログラム製品を提供し、このコンピュータプログラム製品は、第１の情報と関連する制御フレームのフィールドにおいて１組のビットを決定し、第１の情報を指示するための１組のビットの部分集合を定義し、定義された部分集合にない１組のビットのうちの少なくとも１つのビットを介して第１の情報とは異なる第２の情報を指示し、送信のための制御フレームを提供するように実行可能な命令を有するコンピュータ可読媒体を備える。
【００１５】
[0015]本開示のさらなる態様は、制御フィールドを用いたワイヤレス通信用の基地局を提供する。この基地局は、少なくとも１つのアンテナと、処理システムと、インターフェース（たとえば、回路）とを含む。処理システムは、第１の情報と関連する制御フレームのフィールドにおいて１組のビットを決定し、第１の情報を指示するための１組のビットの部分集合を定義し、定義された部分集合にない１組のビットのうちの少なくとも１つのビットを介して第１の情報とは異なる第２の情報を少なくとも１つのアンテナを介して指示するように構成される。インターフェースは、送信のために制御フレームを提供するように構成される。
【図面の簡単な説明】
【００１６】
【図１】[0016]本開示の態様が採用され得る例示的なワイヤレス通信システムを示す図。
【図２】[0017]図１のワイヤレス通信システム内で採用され得る例示的なワイヤレスデバイスの機能ブロック図。
【図３Ａ】[0018]例示的なワイヤレス通信タイムラインを示す図。
【図３Ｂ】[0019]例示的なワイヤレス通信タイムラインを示す図。
【図４】[0020]例示的なワイヤレス通信タイムラインを示す図。
【図５】[0021]例示的なワイヤレス通信のタイムラインを示す図。
【図６Ａ】[0022]ワイヤレス通信用の例示的方法の流れ図。
【図６Ｂ】[0023]ワイヤレス通信の例示的な方法のフローチャート。
【図７】[0024]例示的なワイヤレス通信デバイスの機能ブロック図。
【発明を実施するための形態】
【００１７】
[0025]添付の図面を参照して、新規のシステム、装置、および方法の様々な態様が、以下でより十分に記載される。しかしながら、本開示は、多くの異なる形態で具現化され得るものであり、本開示全体にわたって提示される任意の特定の構造または機能に限定されるものと解釈されるべきでない。むしろ、これらの態様は、本開示が周到で完全になり、本開示の範囲を当業者に十分に伝えるように提供される。本明細書の教示に基づいて、本開示の範囲が、本発明の任意の他の態様とは無関係に実装されるにせよ、本開示の任意の他の態様と組み合わせて実装されるにせよ、本明細書で開示される新規のシステム、装置、および方法のいかなる態様もカバーするものであることを、当業者は諒解されたい。たとえば、本明細書に記載の態様をいくつでも使用して、装置が実装され得るか、または方法が実践され得る。加えて、本発明の範囲は、本明細書に記載の本発明の様々な態様に加えて、またはそれらの態様以外に、他の構造、機能、または構造および機能を使用して実践されるそのような装置または方法をカバーするものとする。本明細書で開示される任意の態様が請求項の１つまたは複数の要素によって具現化され得ることを理解されたい。
【００１８】
[0026]本明細書では特定の態様が記載されるが、これらの態様の多くの変形形態および置換は本開示の範囲内に入る。好ましい態様のいくつかの利益および利点が言及されるが、本開示の範囲は、特定の利益、使用、または目的に限定されるものではない。むしろ、本開示の態様は、様々なワイヤレス技術、システム構成、ネットワーク、および送信プロトコルに広く適用可能であるものとし、そのうちのいくつかが、例として図および好ましい態様の以下の説明で示される。発明を実施するための形態および図面は、限定的なものではなく本開示を説明するものにすぎず、本開示の範囲は添付の特許請求の範囲およびその均等物によって規定される。
【００１９】
[0027]普及しているワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを一緒に相互接続するために使用され得る。本明細書に記載される様々な態様は、ワイヤレスプロトコルなどの任意の通信規格に適用することができる。
【００２０】
[0028]いくつかの態様では、サブギガヘルツ帯域内のワイヤレス信号は、直交周波数分割多重（ＯＦＤＭ）、直接シーケンススペクトル拡散（ＤＳＳＳ）通信、ＯＦＤＭとＤＳＳＳ通信との組合せ、または他の方式を使用して、８０２．１１ａｈプロトコルに従って送信され得る。さらに、ワイヤレス信号は、８０２．１１ａｈの狭帯域、たとえば１ＭＨｚまたは２ＭＨｚで送信され得る。８０２．１１ａｈプロトコルの実装形態は、センサ、メータリング、およびスマートグリッドネットワークに使用され得る。有利なことに、８０２．１１ａｈプロトコルを実装するいくつかのデバイスの態様は、他のワイヤレスプロトコルを実装するデバイスよりも少ない電力を消費することがあり、および／または比較的長い距離、たとえば約１キロメートル以上にわたってワイヤレス信号を送信するために使用され得る。
【００２１】
[0029]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（ステーションまたは「ＳＴＡ」とも呼ばれる）クライアントが存在し得る。概して、ＡＰはＷＬＡＮ用のハブまたは基地局として働くことができ、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を得るために、ＷｉＦｉ（登録商標）（たとえば、８０２．１１ａｈなどのＩＥＥＥ８０２．１１プロトコル）準拠のワイヤレスリンクを介してＡＰに接続する。いくつかの実装形態では、ＳＴＡはＡＰとして使用される場合もある。
【００２２】
[0030]アクセスポイント（「ＡＰ」）はまた、ノードＢ、無線ネットワークコントローラ（「ＲＮＣ」）、ｅノードＢ、基地局コントローラ（「ＢＳＣ」）、送受信基地局（「ＢＴＳ」）、基地局（「ＢＳ」）、トランシーバ機能（「ＴＦ」）、無線ルータ、無線トランシーバ、もしくは何らかの他の用語を備えるか、それらのいずれかとして実装されるか、またはそれらのいずれかとして知られ得る。
【００２３】
[0031]ステーション「ＳＴＡ」はまた、アクセス端末（「ＡＴ」）、加入者局、加入者ユニット、移動局、リモートステーション、リモート端末、ユーザ端末、ユーザエージェント、ユーザデバイス、ユーザ機器、もしくは何らかの他の用語を備えるか、それらのいずれかとして実装されるか、またはそれらのいずれかとして知られ得る。いくつかの実装形態では、アクセス端末は、携帯電話、コードレス電話、セッション開始プロトコル（「ＳＩＰ」）電話、ワイヤレスローカルループ（「ＷＬＬ」）ステーション、携帯情報端末（「ＰＤＡ」）、ワイヤレス接続能力を有するハンドヘルドデバイス、またはワイヤレスモデムに接続された何らかの他の適切な処理デバイスを備えることができる。したがって、本明細書で教示される１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽もしくはビデオデバイス、または衛星ラジオ）、ゲームデバイスまたはシステム、全地球測位システムデバイス、あるいはワイヤレス媒体を介して通信するように構成された任意の他の適切なデバイスに組み込まれ得る。
【００２４】
[0032]上記で説明されたように、本明細書に記載されるいくつかのデバイスは、たとえば、８０２．１１ａｈ規格を実装することができる。そのようなデバイスは、ＳＴＡとして使用されるか、ＡＰとして使用されるか、他のデバイスとして使用されるかにかかわらず、スマートメータリングのために、またはスマートグリッドネットワークにおいて使用され得る。そのようなデバイスは、センサアプリケーションを提供できるか、またはホームオートメーションにおいて使用され得る。デバイスは、代わりにまたは追加として、たとえばパーソナルヘルスケアのためにヘルスケアコンテキストにおいて使用され得る。それらはまた、（たとえばホットスポットとともに使用する）拡張範囲インターネット接続性を可能にするため、またはマシンツーマシン通信を実装するために、監視に使用され得る。
【００２５】
[0033]ステーションおよびＡＰなどのワイヤレスノードは、８０２．１１ａｈ規格に準拠するネットワークなどの、キャリア検知多重アクセス（ＣＳＭＡ）タイプのネットワーク内で対話することができる。ＣＳＭＡは、確率的媒体アクセス制御（ＭＡＣ）プロトコルである。「キャリア検知」は、媒体上で送信しようと試みるノードが、それ自体の送信を送ろうと試みる前に、搬送波を検出するためにその受信機からのフィードバックを使用できることを表す。「多重アクセス」は、複数のノードが共有媒体上で送信および受信できることを表す。したがって、ＣＳＭＡタイプのネットワークでは、送信ノードは媒体を検知し、媒体がビジーである（すなわち、別のノードが媒体上で送信している）場合、送信ノードはその送信を後の時間に延期する。しかしながら、媒体がフリーとして検知された場合、送信ノードは媒体上でそのデータを送信することができる。
【００２６】
[0034]ノードが媒体上で送信しようと試みる前に媒体の状態を決定するために、クリアチャネルアセスメント（ＣＣＡ）が使用される。ＣＣＡ手順は、ノードの受信機がオンにされ、ノードが、現在、パケットなどのデータユニットを送信していない間に実行される。ノードは、たとえば、パケットのＰＨＹプリアンブルを検出することによってパケットの開始を検出することによって、媒体がクリアであるかどうかを検知することができ、これはプリアンブル検出と呼ばれることがある。さらに、ノードは、たとえば、信号（ＳＩＧ）フィールド内の応答指示からの延期時間または遅延時間を推定することができる。プリアンブル検出方法は、比較的弱い信号を検出することができる。したがって、この方法では検出しきい値は低い。代替方法は、電波上で何らかのエネルギーを検出することであり、これはエネルギー検出と呼ばれることがある。エネルギー検出は、一度に１つまたは複数のチャネルを検知するために使用され得る。エネルギー検出方法は、パケットの開始を検出することよりも比較的困難であり、比較的強い信号しか検出しないことがある。したがって、プリアンブル検出に比べて、この方法では検出しきい値はより高い。概して、媒体上での別の送信の検出は、送信の受信電力の関数であり、受信電力は、送信電力から経路損失を減じたものである。
【００２７】
[0035]ＣＳＭＡは、頻繁に使用されない媒体に対して特に有効であるが、媒体に同時にアクセスしようと試みる多くのデバイスで媒体が混雑した場合に性能劣化が起こることがある。複数の送信ノードが一度に媒体を使用しようと試みるとき、同時送信間の衝突が生じることがあり、送信されたデータが損失または破損され得る。ワイヤレスデータ通信では、概して、媒体上で送信している間に媒体をリッスンすることが不可能であるので、衝突検出は可能ではない。さらに、１つのノードによる送信は、概して、送信ノードの範囲内にある、媒体を使用する他のノードによってのみ受信される。これは隠れノード問題として知られ、それにより、たとえば、受信ノードに送信することを望み、受信ノードの範囲内にある第１のノードは、受信ノードに現在送信している第２のノードの範囲内になく、したがって、第１のノードは、第２のノードが受信ノードに送信しており、したがって媒体を占有していることを知ることができない。そのような状況では、第１のノードは、媒体がフリーであることを検知し、送信を開始することができ、それにより、次いで受信ノードで衝突と紛失データとが生じることがある。したがって、衝突領域内のすべての送信ノード間で媒体へのアクセスをいくらか均等に分割しようと試みることによってＣＳＭＡのパフォーマンスを改善するために、衝突回避方式が使用される。特に、衝突回避は、媒体の性質、この場合、無線周波数スペクトルに起因する衝突検出とは異なる。
【００２８】
[0036]衝突回避（ＣＡ）を利用するＣＳＭＡネットワークでは、送信することを望むノードは、最初に媒体を検知し、媒体がビジーである場合、ある時間期間の間延期または遅延する（すなわち送信しない）。譲歩期間の後に、ランダム化されたバックオフ期間（すなわち、送信することを望むノードが媒体にアクセスしようと試みない追加の時間期間）が続く。バックオフ期間は、同時に媒体にアクセスしようと試みる異なるノード間の競合を解決するために使用される。バックオフ期間は、コンテンションウィンドウと呼ばれることもある。バックオフでは、媒体にアクセスしようと試みる各ノードが、範囲内で乱数を選定し、媒体にアクセスしようと試みる前に選定された数のタイムスロットの間待機し、異なるノードが媒体に依然アクセスしたかどうかを確認する必要がある。スロット時間は、前のスロットの始めに別のノードが媒体にアクセスしたかどうかをノードが常に決定することが可能であるように定義される。特に、８０２．１１規格は指数バックオフアルゴリズムを使用し、そこでは、ノードは、スロットを選定し別のノードと衝突するたびに、範囲の最大数を指数関数的に増加させることになる。一方、送信することを望むノードが、（８０２．１１規格では分散フレーム間隔（ＤＩＦＳ）、または他の場合ポイント調整機能フレーム間隔（ＰＩＦＳ）と呼ばれる）指定された時間の間に媒体をフリーとして検知した場合、ノードは、媒体上で送信することを許可される。送信した後に、受信ノードは、受信データの巡回冗長検査（ＣＲＣ）を実行し、送信ノードに確認応答を返送することができる。送信ノードによる確認応答の受信は、衝突が生じていないことを送信ノードに示すことになる。同様に、送信ノードで確認応答の受信がないことは、衝突が生じたことと、送信ノードがデータを再送すべきであることとを示す。
【００２９】
[0037]加えて、ワイヤレスネットワークは、送信することを望むノードがそれにより最初に送信要求（ＲＴＳ）と呼ばれる短い制御パケットを受信ノードに送信する、仮想キャリア検知を実施することができる。ＲＴＳは、応答性の確認応答を含む送信のソースと、宛先と、持続時間とを含むことができる。媒体がフリーである場合、受信ノードは、ＲＴＳと同じ情報を含むことができる送信可（ＣＴＳ）メッセージで応答する。ＲＴＳまたはＣＴＳのいずれかの範囲内の任意のノードは、その（ネットワーク割振りベクトル（ＮＡＶ）とも呼ばれる）仮想キャリア検知インジケータを所与の持続時間の間セットし、その期間の間媒体上で送信する試みを延期する。したがって、仮想キャリア検知を実施すると、隠れ送信ノードによる受信ノードでの衝突の確率が低減される。ＲＴＳおよびＣＴＳのメッセージフレームは、送信ノードによって送信されようとするフルメッセージフレームよりも比較的短いので、ＲＴＳとＣＴＳとを使用するとオーバーヘッドが低減される場合もある。すなわち、送信ノードはＲＴＳを送り、ＣＴＳを受信しないことがあり、受信側がビジーであることを示すので、フルデータフレームを送り、確認応答を受信しないことと比較して、使用される媒体時間が短い。
【００３０】
[0038]図１は、本開示の態様が採用され得る例示的なワイヤレス通信システム１００を示す。ワイヤレス通信システム１００は、ワイヤレス規格、たとえば８０２．１１ａｈ規格に従って動作することができる。ワイヤレス通信システム１００は、ＳＴＡ１０６と通信するＡＰ１０４を含み得る。
【００３１】
[0039]様々なプロセスおよび方法は、ＡＰ１０４とＳＴＡ１０６との間の、ワイヤレス通信システム１００内の送信に使用され得る。たとえば、信号は、ＯＦＤＭ／ＯＦＤＭＡ技法に従って、ＡＰ１０４とＳＴＡ１０６との間で送受信され得る。この場合、ワイヤレス通信システム１００は、ＯＦＤＭ／ＯＦＤＭＡシステムと呼ばれることがある。代替として、信号は、ＣＤＭＡ技法に従って、ＡＰ１０４とＳＴＡ１０６との間で送受信され得る。この場合、ワイヤレス通信システム１００は、ＣＤＭＡシステムと呼ばれることがある。
【００３２】
[0040]ＡＰ１０４からＳＴＡ１０６のうちの１つまたは複数への送信を容易にする通信リンクは、ダウンリンク（ＤＬ）１０８と呼ばれることがあり、ＳＴＡ１０６のうちの１つまたは複数からＡＰ１０４への送信を容易にする通信リンクはアップリンク（ＵＬ）１１０と呼ばれることがある。代替として、ダウンリンク１０８は順方向リンクまたは順方向チャネルと呼ばれることがあり、アップリンク１１０は逆方向リンクまたは逆方向チャネルと呼ばれることがある。いくつかの態様では、ＤＬ通信は、ユニキャストまたはマルチキャストのトラフィック指示を含み得る。
【００３３】
[0041]いくつかの態様では、ＡＰ１０４は、著しいアナログデジタル変換（ＡＤＣ）クリッピングノイズを発生させずに、同時に２つ以上のチャネル上でＵＬ通信を受信できるように、隣接チャネル干渉（ＡＣＩ）を抑制することができる。ＡＰ１０４は、たとえば、チャネルごとに別々の有限インパルス応答（ＦＩＲ）フィルタを有することによって、または増大されたビット幅をもつより長いＡＤＣバックオフ期間を有することによって、ＡＣＩの抑制を改善することができる。
【００３４】
[0042]ＡＰ１０４は、基地局として働き、基本サービスエリア（ＢＳＡ）１０２においてワイヤレス通信カバレージを提供することができる。ＡＰ１０４は、ＡＰ１０４に関連付けられ、通信用にＡＰ１０４を使用するＳＴＡ１０６とともに、基本サービスセット（ＢＳＳ）と呼ばれることがある。ワイヤレス通信システム１００は、中央ＡＰ１０４を有しないことがあり、むしろ、ＳＴＡ１０６間のピアツーピアネットワークとして機能し得ることに留意されたい。したがって、本明細書に記載されたＡＰ１０４の機能は、ＳＴＡ１０６のうちの１つまたは複数によって代替的に実行され得る。
【００３５】
[0043]ＡＰ１０４は、ダウンリンク１０８などの通信リンクを介して、システム１００の他のノードＳＴＡ１０６にビーコン信号（または単に「ビーコン」）を、１つまたは複数のチャネル（たとえば、各チャネルが周波数帯域幅を含む複数の狭帯域チャネル）上で送信することができ、ビーコン信号は、他のノードＳＴＡ１０６がそれらのタイミングをＡＰ１０４と同期させるのを助けることができるか、または他の情報もしくは機能を提供することができる。そのようなビーコンは周期的に送信され得る。一態様では、連続送信間の期間はスーパーフレームと呼ばれることがある。ビーコンの送信は、いくつかのグループまたは間隔に分割され得る。一態様では、ビーコンは、限定はしないが、共通クロックを設定するタイムスタンプ情報、ピアツーピアネットワーク識別子、デバイス識別子、能力情報、スーパーフレーム持続時間、送信方向情報、受信方向情報、ネイバーリスト、および／または拡張ネイバーリストなどの情報を含むことがあり、それらのうちのいくつかが以下でさらに詳細に記載される。したがって、ビーコンは、いくつかのデバイスの間で共通の（たとえば共有された）情報と、所与のデバイスに固有の情報の両方を含み得る。
【００３６】
[0044]いくつかの態様では、ＳＴＡ１０６は、ＡＰ１０４に通信を送り、および／またはＡＰ１０４から通信を受信するために、ＡＰ１０４と関連することが必要であり得る。一態様では、関連するための情報は、ＡＰ１０４によってブロードキャストされるビーコンに含まれる。そのようなビーコンを受信するために、ＳＴＡ１０６は、たとえば、カバレージ領域にわたって広カバレージ探索を実行することができる。探索はまた、ＳＴＡ１０６が、たとえば、灯台方式でカバレージ領域をスイープすることによって実行され得る。関連するための情報を受信した後、ＳＴＡ１０６は、関連付けプローブまたは要求などの基準信号をＡＰ１０４に送信することができる。いくつかの態様では、ＡＰ１０４は、たとえば、インターネットまたは公衆交換電話網（ＰＳＴＮ）などのより大きいネットワークと通信するために、バックホールサービスを使用することができる。
【００３７】
[0045]図２は、図１のワイヤレス通信システム１００内で採用され得るワイヤレスデバイス２０２の例示的な機能ブロック図を示す。ワイヤレスデバイス２０２は、本明細書に記載される様々な方法を実装するように構成され得るデバイスの一例である。たとえば、ワイヤレスデバイス２０２は、ＡＰ１０４、またはＳＴＡ１０６のうちの１つを備えることができる。
【００３８】
[0046]ワイヤレスデバイス２０２は、ワイヤレスデバイス２０２の動作を制御するプロセッサ２０４を含み得る。プロセッサ２０４は中央処理装置（ＣＰＵ）と呼ばれることもある。読取り専用メモリ（ＲＯＭ）とランダムアクセスメモリ（ＲＡＭ）の両方を含み得るメモリ２０６は、命令とデータとをプロセッサ２０４に提供することができる。メモリ２０６の一部分は、不揮発性ランダムアクセスメモリ（ＮＶＲＡＭ）を含む場合もある。プロセッサ２０４は、通常、メモリ２０６内に記憶されたプログラム命令に基づいて、論理演算と算術演算とを実行する。メモリ２０６内の命令は、本明細書に記載される方法を実施するように実行可能であり得る。
【００３９】
[0047]プロセッサ２０４は、１つまたは複数のプロセッサとともに実装された処理システムを備えることがあり、またはその構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、または情報の計算もしくは他の操作を実行することができる任意の他の適切なエンティティの任意の組合せを用いて実装され得る。
【００４０】
[0048]処理システムはまた、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の適切なコード形式の）コードを含み得る。命令は、１つまたは複数のプロセッサによって実行されたとき、本明細書に記載される様々な機能を処理システムに実行させる。
【００４１】
[0049]ワイヤレスデバイス２０２はまた、ワイヤレスデバイス２０２とリモートロケーションとの間のデータの送信と受信とを可能にするために、送信機２１０および／または受信機２１２を含むことあるハウジング２０８を含み得る。送信機２１０と受信機２１２とは組み合わされてトランシーバ２１４になり得る。アンテナ２１６は、ハウジング２０８に取り付けられ、トランシーバ２１４に電気的に結合され得る。ワイヤレスデバイス２０２はまた、複数の送信機、複数の受信機、複数のトランシーバ、および／または複数のアンテナを含み得る（図示せず）。
【００４２】
[0050]送信機２１０は、たとえば、保留中、別のデバイスでデバイス用にバッファリングされたトラフィックを回復するように構成されたポーリングメッセージなどのメッセージをワイヤレスに送信するように構成され得る。たとえば、送信機２１０は、上記で説明された、プロセッサ２０４によって生成されたポーリングメッセージを送信するように構成され得る。ワイヤレスデバイス２０２がＡＰ１０４として実装または使用されるとき、プロセッサ２０４は、ポーリングメッセージを処理するように構成され得る。ワイヤレスデバイス２０２がＳＴＡ１０６として実装または使用されるとき、プロセッサ２０４はまた、ポーリングメッセージを生成するように構成され得る。受信機２１２は、たとえば、ポーリングメッセージをワイヤレスに受信するように構成され得る。
【００４３】
[0051]さらに、ワイヤレスデバイス２０２がＳＴＡ１０６として実装されるまたは用いられるときには、プロセッサ２０４および／または送信機２１０が、制御フレームのフィールドを介して第１の情報をＡＰ１０４に指示し、その制御フレームのフィールドを介して第１の情報とは異なる第２の情報をＡＰ１０４に指示するように構成され得る。プロセッサ２０４は、さらに、あるインターフェースを介した送信のために、制御フレームを提供し得る。ある例では、このインターフェースは、プロセッサ２０４によって実行される回路であり得る。
【００４４】
[0052]ワイヤレスデバイス２０２はまた、送受信機２１４によって受信された信号のレベルを検出し定量化するために使用され得る信号検出器２１８を含み得る。信号検出器２１８は、総エネルギー、シンボルごとのサブキャリア当たりのエネルギー、電力スペクトル密度および他の信号などの信号を検出することができる。ワイヤレスデバイス２０２はまた、信号を処理する際に使用するデジタル信号プロセッサ（ＤＳＰ）２２０を含み得る。ＤＳＰ２２０は、送信用のパケットを生成するように構成され得る。いくつかの態様では、パケットは物理層データユニット（ＰＰＤＵ）を備え得る。
【００４５】
[0053]いくつかの態様では、ワイヤレスデバイス２０２は、ユーザインターフェース２２２をさらに備え得る。ユーザインターフェース２２２は、キーパッド、マイクロフォン、スピーカ、および／またはディスプレイを備え得る。ユーザインターフェース２２２は、ワイヤレスデバイス２０２のユーザに情報を伝達し、および／またはユーザからの入力を受信する、任意の要素または構成要素を含み得る。
【００４６】
[0054]ワイヤレスデバイス２０２の様々な構成要素は、バスシステム２２６によって互いに結合され得る。バスシステム２２６は、たとえば、データバスを含むことがあり、ならびに、データバスに加えて、電力バス、制御信号バス、およびステータス信号バスを含み得る。ワイヤレスデバイス２０２の構成要素は、何らかの他のメカニズムを使用して、互いに結合されるか、または互いに対する入力を受け付けるか、もしくは提供することができる。
【００４７】
[0055]いくつかの別々の構成要素が図２に示されているが、それらの構成要素のうちの１つまたは複数は、組み合わされるか、または共通に実装されることがある。たとえば、プロセッサ２０４は、プロセッサ２０４に関して上述された機能を実装するためだけでなく、信号検出器２１８および／またはＤＳＰ２２０に関して上述された機能を実装するためにも使用され得る。さらに、図２に示された構成要素の各々は、複数の別々の要素を使用して実装され得る。
【００４８】
[0056]ワイヤレスデバイス２０２は、ＡＰ１０４またはＳＴＡ１０６を備えることがあり、たとえば、ポーリングメッセージ、ビーコン信号、もしくはページングメッセージを含む様々な通信を送信および／または受信するために使用され得る。すなわち、ＡＰ１０４またはＳＴＡ１０６のいずれかは、ポーリングメッセージ、ビーコン信号、またはページングメッセージの送信機または受信機として働くことができる。いくつかの態様は、信号検出器２１８が、送信機または受信機の存在を検出するために、メモリ２０６およびプロセッサ２０４上で実行しているソフトウェアによって使用されることを企図する。ＡＰ１０４とＳＴＡ１０６とは、狭帯域通信のための１つまたは複数のチャネル上で、メッセージを受信または送信し得る。たとえば、ＡＰ１０４とＳＴＡ１０６とは、８個または１６個のチャネル上でのワイヤレス通信をサポートし得、ここで、各チャネルは、１ＭＨｚまたは２ＭＨｚの周波数帯域である。
【００４９】
[0057]ＳＴＡ１０６（図１）は、複数の動作モードを有することができる。たとえば、ＳＴＡ１０６は、アクティブモードと呼ばれる第１の動作モードを有することができる。アクティブモードでは、ＳＴＡ１０６は、「アウェイク」状態であり得るし、ＡＰ１０４とデータをアクティブに送信／受信することができる。さらに、ＳＴＡ１０６は、省電力モードと呼ばれる第２の動作モードを有することができる。省電力モードでは、ＳＴＡ１０６は、「アウェイク」状態、または「ドーズ」もしくは「スリープ」状態であり得るし、そこでＳＴＡ１０６は、ＡＰ１０４とデータをアクティブに送信／受信しない。たとえば、ＳＴＡ１０６の受信機２１２、ならびに、場合によってはＤＳＰ２２０および信号検出器２１８は、ドーズ状態で低減された電力消費を使用して動作することができる。さらに、省電力モードでは、ＳＴＡ１０６は、時々アウェイク状態に入って、ＳＴＡ１０６がＡＰ１０４とデータを送受信することができるように、ある時刻に「起きる」（たとえば、アウェイク状態に入る）必要があるか否かをＳＴＡ１０６に示すＡＰ１０４からのメッセージ（たとえば、保留中、別のデバイスにバッファリングされたトラフィックをワイヤレスデバイスが有するか否かをワイヤレスデバイスに示すように構成されたページングメッセージ）をリッスンすることができる。
【００５０】
[0058]したがって、いくつかのワイヤレス通信システム１００（図１）では、ＡＰ１０４は、ＡＰ１０４と同じネットワーク内の省電力モードにある複数のＳＴＡ１０６に、ＳＴＡ１０６がアウェイク状態またはドーズ状態に入る必要があるか否かを示すページングメッセージを送信することができる。たとえば、ＳＴＡ１０６がページングされていないと決定した場合、ＳＴＡ１０６はドーズ状態に留まることができる。代替として、ＳＴＡ１０６がページングされ得ると決定した場合、ＳＴＡ１０６は、一定期間アウェイク状態に入ってページングを受信し、さらにページングに基づいてアウェイク状態にいつ入るかを決定することができる。さらに、ＳＴＡ１０６は、ページングを受信した後、一定期間アウェイク状態のままでいることができる。別の例では、ＳＴＡ１０６は、ページングされたときも、ページングされないときも、本開示に一致する他の方法で機能するように構成され得る。たとえば、ＡＰ１０４がＳＴＡ１０６に送信するデータを有しているので、ページングは、ＳＴＡ１０６が一定期間アウェイク状態に入るべきであることを示すことができる。ＳＴＡ１０６は、一定期間アウェイク状態にいるときに、ポーリングメッセージをＡＰ１０４に送ることによって、データについてＡＰ１０４をポーリングすることができる。ポーリングメッセージに応答して、ＡＰ１０４はＳＴＡ１０６にデータを送信することができる。
【００５１】
[0059]いくつかの態様では、ページングメッセージは、トラフィック識別マップ（ＴＩＭ）などのビットマップ（図示せず）を備え得る。いくつかの態様では、ビットマップはいくつかのビットを備え得る。これらのページングメッセージは、ビーコンまたはＴＩＭのフレームでＡＰ１０４からＳＴＡ１０６に送られ得る。ビットマップ内の各ビットは、複数のＳＴＡ１０６のうちの特定のＳＴＡ１０６に対応することができ、各ビットの値（たとえば、０または１）は、特定のＳＴＡ１０６が保留中、ＡＰ１０４にバッファリングされたトラフィックを有するかどうかを示すことができる。
【００５２】
[0060]さらに図１を参照すると、ＳＴＡ１０６は、ＡＰ１０４から受信された１つまたは複数のメッセージに基づいて、１つまたは複数のチャネルの品質を推定することができる。たとえば、いくつかの実装形態では、ＳＴＡ１０６は、ＡＰ１０４から、ビーコン信号、ページングメッセージ、あるいは、８個の様々な２ＭＨｚチャネルのうちの１つもしくは複数の上、または１６個の様々な１ＭＨｚチャネルのうちの１つもしくは複数の上のプリアンブル部分を含む部分的なパケットを受信することができる。ＳＴＡ１０６は、受信されたメッセージに基づいて、１ＭＨｚチャネルまたは２ＭＨｚチャネルのうちの１つまたは複数についての信号対雑音比を推定することができる。信号対雑音比が大きいほど、ＳＴＡ１０６によって決定されたチャネルの推定品質は高くなる。したがって、ＳＴＡ１０６は、次いで、各チャネルの推定品質に少なくとも部分的に基づいて、複数のチャネルの相対的な品質を決定することができる。いくつかの態様では、ＳＴＡ１０６は、２つ以上のチャネルを同時にリッスンして、各チャネルの品質を推定することができる。
【００５３】
[0061]また、いくつかの態様では、ＳＴＡ１０６は、様々な手法を利用して、ＡＰ１０４の動作モードまたはチャネル状態に応じて、チャネルの品質を推定することができる。たとえば、ＡＰ１０４がチャネルを頻繁には変更しない場合（たとえば、コヒーレンス時間≫ビーコン間隔）、ＳＴＡ１０６は、ビーコン信号に基づいて、１つまたは複数のチャネルの品質を推定することができる。ＡＰ１０４がチャネルを頻繁に変更する場合（たとえば、コヒーレンス時間≒ビーコン間隔）、ＳＴＡは、ＡＰ１０４によって送信されたヌルデータパケット（ＮＤＰ）に基づいて、１つまたは複数のチャネルの品質を推定することができる。さらに、いくつかの態様では、ＡＰ１０４は、ビーコン信号に続くチャネル推定期間を確保することができる。チャネル推定期間の間、ＡＰ１０４は、たとえば、１つまたは複数のチャネルを介してＮＤＰを送ることができる。ＡＰ１０４は、図３Ａの通信タイムライン３００に示されたように、１つまたは複数のチャネルの全部または一部を介して、同時に（たとえば、すべての１ＭＨｚまたは２ＭＨｚのチャネル内で）ＮＤＰまたはビーコンフレームを送ることができる。たとえば、ＡＰ１０４は、時刻ｔ0およびｔ1に、チャネル１（ＣＨ１）、チャネル２（ＣＨ２）、チャネル３（ＣＨ３）、およびチャネル４（ＣＨ４）上で、同時にＮＤＰまたはビーコンフレームを送信することができる。いくつかの実装形態では、ＡＰ１０４は、図３Ｂの通信タイムライン３５０に示されたように、様々な時刻に、１つまたは複数のチャネルを介して、１つまたは複数のＮＤＰを送ることができる。たとえば、ＡＰ１０４は、時刻ｔ0にＣＨ１上で１つのＮＤＰを、時刻ｔ1にＣＨ２上で別のＮＤＰを送信し、続けて時刻ｔ2、ｔ3、ｔ4、ｔ5、ｔ6、およびｔ7を通して、１つのチャネル上で１つのＮＤＰを送信することができる。いくつかの実装形態では、ＡＰ１０４は、異なるターゲットビーコン送信時刻（ＴＢＴＴ）において、１つまたは複数のチャネルを介して、１つまたは複数のビーコンフレームを送ることがあり得る。たとえば、ＡＰ１０４は、時刻ｔ0において、ＣＨ１上で１つのビーコンフレームを、時刻ｔ1において、別のビーコンフレームＣＨ２を送信し得、時刻ｔ2、ｔ3、ｔ4、ｔ5、ｔ6、およびｔ7を通じて、１つのチャネル上で１つのビーコンフレームを送信することを継続し得る。
【００５４】
[0062]いくつかの実装形態では、ＡＰ１０４は、任意の時刻に任意のチャネル上でパケットを受信するように構成され得る。いくつかの実装形態では、２ＭＨｚよりも大きい動作帯域幅を有するＡＰ１０４は、その動作帯域幅内の１ＭＨｚチャネルまたは２ＭＨｚチャネルのうちの１つにその１次チャネルを設定することによって、動作することができる。ＡＰ１０４はまた、１次チャネル上のパケットのみを受信するように構成され得る。ＡＰ１０４が任意のチャネル上のパケットを受信するように構成された場合、ＳＴＡ１０６は、どのチャネルが使用され得るかを示す必要なしに、任意のチャネル上で任意の時刻にＡＰ１０４への送信を開始するように構成され得る。ＡＰ１０４が１次チャネル上のみでパケットを受信するように構成された場合、ＳＴＡ１０６は、構成パケットまたは別の方法を使用して、どのチャネル上でＳＴＡ１０６がＡＰ１０４に送信するかについて、ＡＰ１０４に示すように構成され得る。
【００５５】
[0063]ＡＰ１０４は、複数のチャネルのうちの、予めネゴシエーションがなされたもしくは予め定義された周波数帯域（たとえば、最も低い周波数帯域のチャネル）など、１次チャネルと同一のチャネルを用いることがあり得るし、または、１次チャネルを変更することがあり得る。ＡＰ１０４は、たとえば、規則的に空けられた間隔の間、または規則的に空けられていない間隔であり得る他の間隔の間、どのチャネルが１次チャネルであるかを変更することができる。いくつかの実装形態では、ＡＰ１０４は、図４の通信タイムライン４００に示されたように、規則的に空けられた間隔で各チャネルを介して個別にＮＤＰまたはビーコンフレームを送ることができ、次のＮＤＰまたはビーコンフレームが別のチャネル上で送られるまで、ＮＤＰまたはビーコンフレームオーバーを直近に送ったチャネルを１次チャネルとして使用することができる。たとえば、ＡＰ１０４は、時刻ｔ0にＣＨ１上で１つのＮＤＰまたはビーコンフレームを、時刻ｔ1にＣＨ２上で別のＮＤＰを送信し、続けて時刻ｔ2、ｔ3、ｔ4、ｔ5、ｔ6、およびｔ7を通して、１つのチャネル上で１つのＮＤＰを送信して、ＡＰ１０４の１次チャネルを周期的に変更することができる。ＡＰ１０４と関連付けられ得るＳＴＡは、（そのチャネルにおいてフレームを受信することによって、現在の１次チャネルの位置、または、受信されたフレームに次の１次チャネルのための情報を含ませることによって、次の１次チャネルの位置、のいずれかである）１次チャネルの位置を、告知され得る。１次チャネルの切替えは、ＳＴＡとの関連付けで提供されるか、または後でＳＴＡとの管理交換を通じて提供されるスケジュールとして、ＡＰ１０４によりＳＴＡに伝達され得る。この情報はビーコン信号に含まれ得る。たとえば、ＩＥＥＥの（拡張）チャネル切替え告知のフレームまたは他の要素（たとえば、サブチャネル選択送信要素）が、１つのチャネルから別のチャネルへの切替えを指示するのに用いられ得る。要素は、さらに将来のチャネル切替えに関する情報も含むことによって、強化され得る。
【００５６】
[0064]ＳＴＡ１０６は、ＡＰ１０４が１次チャネルの変更をＳＴＡ１０６に通知したときに、チャネルを切り替えないことがある。代わりに、ＳＴＡ１０６は、ＡＰ１０４が別のチャネルに移動した後でも、その選択されたチャネルに留まり得る。この場合、ＡＰ１０４の１つまたは複数の動作チャネルがＳＴＡ１０６の選択されたチャネルを含まないことがあるので、ＳＴＡ１０６はＡＰ１０４にパケットを送らないことがある。ＳＴＡ１０６は、ＡＰが１次チャネルをＳＴＡ１０６の動作チャネルを含むチャネルに戻すとすぐに、ＡＰ１０４との動作を再開することができる。いくつかの実装形態では、ＡＰ１０４は、ＡＰ１０４がどのチャネルに切り替えようとしているかをＳＴＡ１０６に示さないことがある。ＳＴＡ１０６がチャネルを切り替えようとしない場合、ＡＰ１０４は、ＡＰ１０４がどのチャネルに乗ろうとしているかをＳＴＡ１０６に警告するのではなく、ＡＰ１０４がいつＳＴＡ１０６の選択されたチャネルに乗ろうとしているかをＳＴＡ１０６に警告することができる。いくつかの実装形態では、ＡＰ１０４は、ＡＰ１０４がいつチャネル上にいるかをチャネル上のＳＴＡが気付くように、チャネル上のその動作がいつ始まり、いつ終わるかを示すことができる。この場合、所与のチャネル上のＢＳＳは、ＡＰ１０４がそのチャネル上にいる時間の一部の間だけアクティブでいることができる。ＡＰ１０４は、複数のチャネル上の同じ基本サービスセット識別情報（ＢＳＳＩＤ）とサービスセット識別情報（ＳＳＩＤ）とを使用することができるか、または異なるチャネルについての異なるＢＳＳＩＤを使用することができる。さらに、ＡＰ１０４は、そのビーコンフレームが送信されるチャネルに依存する異なる情報を含むビーコンフレームを送ることがあり得る。
【００５７】
[0065]ＳＴＡ１０６は、メッセージまたはデータの送信用に最高の品質を有するチャネルを選択することができる。有利なことに、１ＭＨｚまたは２ＭＨｚのチャネルは、２０ＭＨｚのチャネルよりも少ない周波数ダイバーシティに起因して高いマルチパスフェージングマージンを必要とし得るので、たとえば、最高の品質を有する１ＭＨｚまたは２ＭＨｚのチャネルは、別のチャネルよりも低いマルチパスフェージングマージンを有し得る。したがって、ＳＴＡ１０６はまた、たとえば、より高い送信レートで選択されたチャネル上のデータ送信に成功することが可能であり得る。
【００５８】
[0066]いくつかの態様において、ＡＰ１０４は、１つまたは複数のチャネル上に、ＴＩＭフレームまたはＴＩＭメッセージを周期的にブロードキャストし得る。ＴＩＭメッセージは、ＳＴＡ１０６がＡＰ１０４においてデータをバッファさせることを指示し得る。バッファされたデータを有するＳＴＡ１０６は、ＳＴＡ１０６自身が、バッファされたデータをＡＰ１０４からの特定のチャネル上で受信したいということを指示するために、１つまたは複数のチャネル上に、ポーリングメッセージ（たとえば、電力節約ポーリングすなわちＰＳポーリング）を含む構成メッセージを送信し得る。ある態様では、ＰＳポーリングフレームは、ＮＤＰのＰＳポーリングフレームであり得る。さらに、ＳＴＡ１０６は、他のデバイスに１つまたは複数のチャネル上の通信を延期させるために、構成メッセージのＰＨＹプレアンブルを含むパケットを送信し得る。ＳＴＡ１０６は、次に、ＳＴＡ１０６によって選択された特定のチャネル上で、バッファされたデータをＡＰ１０４が送信するのを待機し得る。ＳＴＡ１０６は、バッファされたデータをＡＰ１０４から正しく受信することに応答して、１つまたは複数のチャネル上を、ＡＰ１０４に確認応答メッセージを送信し得る。ある態様では、ＳＴＡ１０６は、バッファされたデータを特定のチャネル上で受信することをＳＴＡ１０６が望んでいることを指示するポーリングメッセージを送った後で、１次チャネルにおいて、ＡＰ１０４からＡＣＫを受信することを待機し得る。このＡＣＫは、ポーリングメッセージにおいてＳＴＡ１０６によって指示されるチャネルに関して合意し得る。ＡＰ１０４は、次に、好適なチャネル上において、パケットをＳＴＡ１０６へ送信し得る。たとえば、ＡＰ１０４は、ポーリングメッセージにおいてＳＴＡ１０６によって選択されたチャネル上を、パケットをＳＴＡ１０６に送信し得る。ＡＰ１０４は、ＡＣＫを用いて応答した後に直ちにこれらのパケットを送信し、または、後でこれらのパケットを送信し得る。たとえば、図５の通信タイムライン５００では、ＳＴＡ１０６は、選択されたチャネルを指示する時刻ｔ1においてＰＳポーリングを送信し、選択されたチャネルと一致する時刻ｔ2においてデータ交換のためにＡＰ１０４からＡＣＫを受信し得る。ＡＰ１０４は、次に、時刻ｔ3においてパケットをＳＴＡ１０６に送信し、時刻ｔ4の後でＳＴＡ１０６によるデータの送信のためにある時間期間を取っておくことがあり得る。ある態様では、ＰＳポーリングタイプのフレームを送信するＳＴＡ１０６がビーコンを読み取ることを必要としないことがあり得る。
【００５９】
[0067]バッファされたデータをＳＴＡ１０６がＡＰ１０４から正しく受信することに応答して、逆方向グラント（ＲＤＧ）を通じてなど、ＡＰ１０４によって許容されると、ＳＴＡ１０６は、１つまたは複数のチャネル上において、データパケットをＡＰ１０４に送信し得る。ＡＰ３０４は、ＳＴＡ１０６はペンディングのデータを有しているという指示により、ＳＴＡ１０６がデータを送ることを許容し得る。この指示は、ＰＳポーリングなどのポーリングメッセージに含まれ得る。
【００６０】
[0068]異なるタイプのＰＳポーリングを用いて異なるタイプの情報を関連するＡＰ１０４から要請することを可能にするＳＴＡ１０６のためのいくつかの電力節約メカニズムが、８０２．１１ａｈプロトコルにおいて定義され得る。ＰＳポーリングのタイプは、ＰＳポーリングフレームのフレーム制御（ＦＣ）フィールドのポーリングタイプサブフィールドにおいて、指示され得る。ポーリングタイプサブフィールドは、下記の表１に示されたフォーマットを有し得る。
【００６１】
【表１】
0006426173.tif 000002
【００６２】
[0069]ＳＴＡ１０６は、ＡＰ１０４に、ポーリングタイプが所与の値に設定されたＰＳポーリングフレームを送り得る。たとえば、ＳＴＡ１０６は、起動すると、フレーム制御フィールドにおけるポーリングタイプフィールドが１に設定されたポーリングメッセージ（ＰＳポーリング）を送ることによって、ＡＰ１０４に、ＢＳＳ変更シーケンスおよび／または現在のタイムスタンプ情報もしくは他の情報を求め得る。あるいは、ＳＴＡ１０６は、ポーリングタイプフィールドを２に設定することによって、次のターゲットウェーク時刻（ＴＷＴ）またはターゲットビーコン送信時刻（ＴＢＴＴ）への継続時間に関する情報を求め得る。さらに、ウェークアップタイマの終了の後の送信機会（ＴＸＯＰ）継続時間の間のタイムスロット保護を要求したＳＴＡ１０６は（たとえば、ＡＰ１０４がＲＤＧを付勢するまたは同期フレームを送るとき）、そのような保護を指示するために、ポーリングタイプフィールドが３に設定されたＰＳポーリングを送信し得る（これは、ネゴシエーションを介してＡＰ１０４との間でアプリオリに合意され得る）。
【００６３】
[0070]ＡＰ１０４は、タイムスタンプフィールドを含むが次のＴＷＴフィールドを含まないことがあり得るターゲットウェーク時刻確認応答（ＴＡＣＫ）を送ることによって、受信されたポーリングメッセージ（ＰＳポーリング）に応答し得る。ＡＰ１０４は、また、ＴＢＴＴへの継続時間に設定されたウェークアップタイマを含むヌルデータパケット（ＮＤＰ）ＡＣＫフレームを送り得る（たとえば、ＮＤＰのＡＣＫにおける継続時間指示フィールドを１に設定することによって）か、または、ＴＢＴＴの値に設定された次のＴＷＴフィールドを含むＴＡＣＫフレームを送り得る。
【００６４】
[0071]ある態様では、ＵＬ同期可能であるＡＰ１０４（ＴＸＯＰ継続時間のスロットを保護する）が、ＮＤＰのＡＣＫフレームを用いて、ポーリングタイプフィールドが３に設定されたＰＳポーリングに応答し得る。ここでは、ＮＤＰのＡＣＫフレームが、たとえば、（１に設定された継続時間指示フィールドによって指示された）継続時間フィールドにウェークアップタイマを含み得るのであり、同期フレーム（たとえば、ＮＤＰのＣＴＳフレーム）を送ることによって、ウェークアップタイマの終了の後に続くＴＸＯＰを保護し得る。
【００６５】
[0072]いくつかの実装例では、２つの異なるタイプのＰＳポーリングフレームが、８０２．１１ａｈプロトコルにおいて用いられ得るのであって、すなわち、１）ＰＳポーリングフレームと、２）ＮＤＰのＰＳポーリングフレームとである。しかし、ＰＳポーリングフレームのみが、上で述べられたように、フレーム制御フィールドにおいて定義されたポーリングタイプフィールドを含み得る。よって、ＮＤＰのＰＳポーリングフレームを用いるＳＴＡ１０６は、ポーリングタイプを容易に指示するためのポーリングタイプフィールドは存在しないのであるから、上で述べられた電力節約に関する特徴から利益を得ることができない。ＮＤＰのＰＳポーリングフレームを用いるＳＴＡ１０６が上で述べられた電力節約に関する特徴から利益を得るために、２つのサブタイプのＮＤＰのＰＳポーリングフレームに対して、追加的なシグナリングが提供され得る（たとえば、ＮＤＰのＰＳポーリングフレーム（１ＭＨｚ）およびＮＤＰのＰＳポーリングフレーム（≧２ＭＨｚ））。
【００６６】
[0073]ＮＤＰのＰＳポーリングフレーム（１ＭＨｚ）とＮＤＰのＰＳポーリングフレーム（≧２ＭＨｚ）とは、ＰＬＣＰヘッダのＳＩＧフィールドにおけるビット数の制約のために（たとえば、ＮＤＰフレームが、ＭＡＣ情報を告知するために、ＳＩＧフィールドに配置されているなど）、ポーリングタイプフィールドを含まないことがあり得る。ＰＬＣＰヘッダは、下記の表２に示されたフォーマットを有し得る。
【００６７】
【表２】
0006426173.tif 000003
【００６８】
[0074]ＮＤＰのＰＳポーリングフレーム（１ＭＨｚ）とＮＤＰのＰＳポーリングフレーム（≧２ＭＨｚ）とに対するＮＤＰのＭＡＣフレーム本体は、下記の表３に示されたフォーマットを有し得る（カッコの中の値は、２ＭＨｚ以上のフレームに対するものである）。
【００６９】
【表３】
0006426173.tif 000004
【００７０】
[0075]いくつかの実装例では、ＮＤＰのＰＳポーリングフレームが、上で述べられたメカニズムのような電力節約メカニズムにおけるＮＤＰのＰＳポーリングフレームの使用を可能にするように、強化され得る。ある態様では、ＮＤＰのＰＳポーリングフレーム（１ＭＨｚ）とＮＤＰのＰＳポーリングフレーム（≧２ＭＨｚ）とに対して、好適な変調およびコーディング方式（ＭＣＳ）フィールドのいくつかの値（たとえば、留保されている値）が、ポーリングタイプを指示するために用いられ得る。
【００７１】
[0076]たとえば、ＮＤＰのＰＳポーリングフレーム（１ＭＨｚ）では、好適なＭＣＳフィールドは、いくつかの可能な値を許容する３ビットの長さを有し得る。フィールドと好適なＭＣＳとのマッピングは、可能な値の一部だけを占め得る。たとえば、好適なＭＣＳフィールドの０から５の値が、下り方向の送信のための好適なＭＣＳレベルを指示するために用いられ得る。したがって、好適なＭＣＳフィールドの残りの値（たとえば、６から８の値）は、上の表１のようにポーリングタイプを指示する／告知するために、ＳＴＡ１０６によって用いられ得る。
【００７２】
[0077]別の例では、ＮＤＰのＰＳポーリングフレーム（≧２ＭＨｚ）においては、好適なＭＣＳフィールドは、４ビットの長さを有し得るのであって、ＭＣＳインデクスは、０から９のいくつかの値を占め得る。したがって、１０から１５の留保された値は、上の表１に記載されたマッピングと類似のマッピングに従ってポーリングタイプを指示する／告知するために、ＳＴＡ１０６によって用いられ得る（たとえば、表３において１０、１１、１２、および１３に設定された好適なＭＣＳ値は、それぞれが、表１における０、１、２、および３に設定されたポーリングタイプの値に対応する）
[0078]別の態様では、ＮＤＰのＰＳポーリングフレーム（≧２ＭＨｚ）に対して、上りデータ指示（ＵＤＩフィールド）のいくつかの値（たとえば、留保された値）が、ポーリングタイプを指示するために用いられ得る。ＵＤＩフィールドは、時間単位（ＴＵ）の整数倍で、ＡＰ１０４のためにＳＴＡ１０６がバッファしている上りデータの継続時間を指示する。たとえば、８μｓのＴＵは、３２ｍｓまでの継続時間を指示するために十分であり、これは、ＮＡＶが設定できる最大の継続時間であって、十分に、８０２．１１ａｈプロトコルのための２７ｍｓというＭａｘＰＰＤＵＴｘＴｉｍｅの範囲内にある。よって、ＵＤＩフィールドの一定の値が、ポーリングタイプを指示するのに用いられ得る。たとえば、ＵＤＩフィールドが表３における２の値に設定されると、ＵＤＩフィールドは、表１における０の値に設定されたポーリングタイプを指示し得る。同様に、表３における３、４、および５の値に設定されているＵＤＩフィールドは、それぞれが、表１における１、２、および３の値に設定されたポーリングタイプを指示し得る。ＵＤＩフィールドの２、３、４、および５の値は、これらの値が数十マイクロ秒のオーダーのＰＰＤＵ継続時間を指示するために、いくつかの実装例で用いられないことは明らかであり、ＮＤＰのＰＳポーリングフレーム（≧２ＭＨｚ）に対する最小のＰＰＤＵ継続時間は２４０μｓ（ＰＬＣＰヘッダを送信するための最小時間）である。
【００７３】
[0079]いくつかの実装例では、ポーリングタイプフィールドは、上の表１と同じ指示（または、指示の部分集合）を用いて、ＮＤＰのＰＳポーリングフレームに対して、定義され得る。ＮＤＰのＰＳポーリングフレーム（≧２ＭＨｚ）に対してポーリングタイプフィールドを定義するために、ＵＤＩフィールドは１０ビットの長さまで縮小され得るし、ＴＵは３２μｓまで増加され得る。同様に、ＮＤＰのＰＳポーリングフレーム（１ＭＨｚ）に対してポーリングタイプフィールドを定義するために、好適なＭＣＳフィールドは、１つまたは複数のビットが好適なＭＣＳのマップを指示するために用いられ得るように、そして、１つまたは複数のビットがポーリングタイプを指示するように用いられ得るように、修正され得る。一例として、１ビットが、ポーリングタイプを指示するのに用いられ得るし、２ビットが、何らかのシグナリングの制約（たとえば、好適なＭＣＳの一定の部分集合だけが告知され得るなど）を伴う好適なＭＣＳを指示するのに用いられ得る。
【００７４】
[0080]別の態様では、ＮＤＰのＰＳポーリングフレームのフィールドのいずれかが、本明細書における教示において記載されるように、要求されるシグナリングを提供するのに必要となり得る１つまたは複数のビットのポーリングタイプフィールドのための空間を作成するために、縮小され得る。
【００７５】
[0081]ある態様では、ＮＤＰのＰＳポーリングフレーム（１ＭＨｚ）に対するポーリングタイプのシグナリングは、ＮＤＰのＰＳポーリングフレーム（１ＭＨｚ）を送信しているＳＴＡ１０６が、意図された受信機が、スリープ期間を指示する継続時間フィールドを有する確認応答フレームを用いて（表１における１１のポーリングタイプ値と関連する動作と同様に）応答することを要求するのか、または、継続時間フィールドにＩＤ延長を含む確認応答フィールドを用いて応答することを要求するのかを指示し得る。一例として、ＮＤＰのＰＳポーリングフレームへの応答は、ＮＤＰの（修正された）ＡＣＫであり得る。ある態様では、ＮＤＰの（修正された）ＡＣＫは、０に設定された継続時間指示フィールドと、ＮＤＰの（修正された）ＡＣＫのためのＩＤ延長を含む継続時間フィールドとを含み得る。たとえば、継続時間フィールドは、ポーリングタイプのシグナリングが表１におけるポーリングタイプの値００と類似する場合に、引き出すためのＮＤＰのＰＳポーリングフレームのＴＡおよびＲＡアドレスから導かれるビットシーケンスを含み得る（たとえば、シーケンスは、ＲＡ［０：８］と連結されたＴＡ（３）であり得る）。別の態様では、ＮＤＰの（修正された）ＡＣＫは、１に設定された継続時間指示フィールドと、ポーリングタイプのシグナリングが表１におけるポーリングタイプ値１１に類似する場合にＡＣＫが応答として送られるＮＤＰのＰＳポーリングを生成したＳＴＡ１０６からその間にアイドル期間が予測される継続時間に設定された継続時間フィールドとを含み得る。
【００７６】
[0082]一般的に、上述の方法のいずれかの組合せが、ＮＤＰのＰＳポーリングフレームにおけるビットの利用可能性に応じて、ＮＤＰのＰＳポーリングフレームのポーリングタイプを指示するために、ＳＴＡ１０６によって用いられ得る。
【００７７】
[0083]ある態様では、上述された方法が、様々なタイプの情報を意図された受信機に指示するまたは求めるために、ＳＴＡ１０６によって用いられ得る。非制限的な例として、ＳＴＡ１０６は、上述の方法を用いて、次のサービス期間の間にＳＴＡ１０６が動作させることを予定している１次チャネルを指示し得る。そのような態様では、ＳＴＡ１０６は、ＳＴＡ１０６がそれと共に動作しているＢＳＳの１次チャネルにおいて、（ＮＤＰの）ＰＳポーリングを送り得るのであり、（ＮＤＰの）ＰＳポーリング内の関連するＡＰ１０４に、次のサービス期間（その開始時刻は、ＡＰ１０４によって先に指示されていることがあり得る、または、ＡＰ１０４が、ＮＤＰのＰＳポーリングへの応答として、ＳＴＡ１０６に送る直後の応答において指示され得るのための一時的な１次チャネルのオフセットを指示し得る。
【００７８】
[0084]上で述べられたシグナリングのタイプは（タイプＮＤＰの）ＰＳポーリングフレームのコンテキストに記載があるが、同じコンセプトが、他のタイプのヌルデータパケット（たとえば、ＣＴＳ）に適用されることは明らかである。
【００７９】
[0085]ある態様では、ＵＤＩフィールドが、８０２．１１ａｈ規約に存在するより多くのデータ（Ｍｏｒｅ  Ｄａｔａ）フィールドと類似のシグナリングをＡＰ１０４に提供する。したがって、ＮＤＰのＰＳポーリングフレームのためのＵＤＩフィールドは、より多くのデータフィールドと改名され得るのであり、ＮＤＰのＰＳポーリングフレームに対応するために以下の動作が定義され得るのであり、すなわち、Ｓ１ＧのＳＴＡは、ＮＤＰのＰＳポーリングフレーム（≧２）のより多くのデータフィールドを、現在のＳＰまたはＴＸＯＰの間のフレームの受信者への送信のためにバッファされたデータの継続時間を指示するために（８μｓの倍数で）、１よりも大きな値に設定する。
【００８０】
[0086]さらに、ＵＤＩフィールドの値がポーリングタイプを指示するのに用いられる場合には、ＮＤＰのＰＳポーリングフレームに対応するために、以下の動作が、より多くのデータフィールドに対して定義され得るのであり、すなわち、Ｓ１ＧのＳＴＡは、ＮＤＰのＰＳポーリングフレーム（≧２）のより多くのデータフィールドを、現在のＳＰまたはＴＸＯＰの間のフレームの受信者への送信のためにバッファされたデータの継続時間を指示するために（８μｓの倍数で）、６よりも大きな値に設定する。
【００８１】
[0087]図６Ａは、制御フレームを用いたワイヤレス通信の例示的な方法６００のフローチャートである。方法６００は、装置（たとえば、図２のワイヤレスデバイス２０２など）を使用して実行され得る。方法６００は、図２のワイヤレスデバイス２０２の要素に関して以下に記載されるが、本明細書に記載されたステップのうちの１つまたは複数を実施するために他の構成要素が使用され得る。
【００８２】
[0088]ブロック６０５では、装置が、制御フレームのフィールドを介して第１の情報を指示し得る。制御フレームは、たとえば、ヌルデータパケット（ＮＤＰ）電力節約（ＰＳ）ポーリングフレームであり得る。第１の情報を指示することは、たとえば、プロセッサ２０４および／または送信機２１０によって、実行され得る。
【００８３】
[0089]ブロック６１０では、装置が、制御フレームのフィールドを介して第１の情報とは異なる第２の情報を指示し得る。第２の情報を指示することは、たとえば、プロセッサ２０４および／または送信機２１０によって、実行され得る。ブロック６１５では、装置は、送信のために制御フレームを提供し得る。制御フレームは、インターフェースを介して提供され得る。ある例では、インターフェースは、装置によって実行される回路であり得る。
【００８４】
[0090]ある態様では、第１の情報は好適な変調およびコーディング方式（ＭＣＳ）であり、第２の情報は制御フレームタイプであり、フィールドは１組の値を備える。したがって、装置は、１組の値の第１の部分集合を介して好適なＭＣＳを指示することによって、第１の情報を指示し得るし、１組の値の第２の部分集合を介して制御フレームタイプを指示することによって、第２の情報を指示し得る。ある態様では、制御フレームタイプは、制御フレームタイプの受信機が確認応答（ＡＣＫ）フレームを装置に送信することを容易化する。装置は、送信されたＡＣＫフレームを受信し得る。ＡＣＫフレームは、アイドル期間および／またはＡＣＫ識別（ＩＤ）延長を指示する継続時間フィールドを含み得る。ある態様では、継続時間フィールドがアイドル期間を指示する場合には、装置は、アイドル期間の間、送信を実行することを控え得る。さらなる態様では、継続時間フィールドがＡＣＫのＩＤ延長を指示する場合には、装置が、ＡＣＫのＩＤ延長に基づいて制御フレームタイプが成功裏に受信機に指示されたかどうかを、決定し得る。
【００８５】
[0091]別の態様では、第１の情報は上りデータ指示（ＵＤＩ）であり、第２の情報は制御フレームタイプであり、フィールドは１組の値を備える。したがって、装置は、１組の値の第１の部分集合を介してＵＤＩを指示することによって第１の情報を指示し得るし、１組の値の第２の部分集合を介して制御フレームタイプを指示することによって第２の情報を指示し得る。ある態様では、制御フレームタイプは、動作チャネルオフセット（たとえば、次のサービス期間のための一時的な１次チャネルのオフセット）を指示する。
【００８６】
[0092]さらなる態様では、第１の情報は好適なＭＣＳまたはＵＤＩであり、第２の情報は制御フレームタイプであり、フィールドは１組のビットを備える。したがって、装置は、第１の情報を指示するための１組のビットの部分集合を定義することによって、第１の情報を指示し得るし、定義された部分集合にない１組のビットのうちの少なくとも１つのビットを介して制御フレームタイプを指示することによって、第２の情報を指示し得る。いくつかの実装例では、第１の情報はＵＤＩであり、１組のビットは１２ビットを備える。したがって、装置は、ＵＤＩを指示するための１２ビットのうちの１０ビットを定義することによって、第１の情報を指示し得るし、ＵＤＩを指示するために定義されない１２ビットのうちの２ビットを介して制御フレームタイプを指示することによって、第２の情報を指示し得る。いくつかの実装例では、第１の情報は好適なＭＣＳであり、ビットの部分集合は少なくとも３ビットを備える。したがって、装置は、好適なＭＣＳを指示するための１ビットを定義することによって、第１の情報を指示し得るし、好適なＭＣＳを指示するために定義されない２ビットを介して制御フレームタイプを指示することによって、第２の情報を指示し得る。あるいは、装置は、好適なＭＣＳを指示するための２ビットを定義することによって第１の情報を指示し得るし、好適なＭＣＳを指示するために定義されない１ビットを介して制御フレームタイプを指示することによって第２の情報を指示し得る。
【００８７】
[0093]さらに別の態様では、第１の情報は好適なＭＣＳまたはＵＤＩであり、第２の情報は通信のために用いられるチャネルの指示であり、フィールドは１組の値を備える。したがって、装置は、１組の値の第１の部分集合を介して第１の情報を指示することによって第１の情報を指示し得るし、１組の値の第２の部分集合を介して通信のために用いられるチャネルを指示することによって第２の情報を指示し得る。
【００８８】
[0094]図６Ｂは、制御フレームを用いたワイヤレス通信用の例示的な方法６５０の流れ図である。方法６５０は、装置（たとえば、図２のワイヤレスデバイス２０２）を用いて実行され得る。プロセス６５０は、以下では、図２のワイヤレスデバイス２０２の要素との関係で記述されるが、本明細書に記載されるステップの１つまたは複数を実装するために、他のコンポーネントが用いられ得る。
【００８９】
[0095]ブロック６５５では、装置が、第１の情報と関連する制御フレームのフィールドにおいて、１組のビットを決定し得る。たとえば、１組のビットは、フィールドにおいて利用可能ないくつかのビットに基づいて決定され得る。ある態様では、制御フレームは、ヌルデータパケット（ＮＤＰ）電力節約（ＰＳ）ポーリングフレームである。この決定は、たとえば、プロセッサ２０４によって実行され得る。
【００９０】
[0096]ブロック６６０では、装置は、第１の情報を指示するための１組のビットの部分集合を定義し得る。たとえば、１組のビットの部分集合は、第１の情報と関連するいくつかの値に基づいて、定義され得る。この定義は、たとえば、プロセッサ２０４および／または送信機２１０によって実行され得る。
【００９１】
[0097]ブロック６６５では、装置が、定義された部分集合にない１組のビットのうちの少なくとも１つのビットを介して第１の情報とは異なる第２の情報を指示し得る。この指示は、たとえば、プロセッサ２０４および／または送信機２１０によって実行され得る。ブロック６７０では、装置は、送信のための制御フレームを提供し得る。制御フレームは、インターフェースを介して提供され得る。たとえば、インターフェースは、装置によって実行される回路であり得る。
【００９２】
[0098]図７は、例示的なワイヤレス通信デバイス７００の機能ブロック図である。ワイヤレス通信デバイス７００は、第２のデバイスから複数のチャネルを介してメッセージ（たとえば、ＡＣＫフレーム）をワイヤレスで受信するように構成された受信機７０５を含み得る。受信機７０５は、受信機２１２と対応し得る。ワイヤレス通信デバイス７００は、さらに、処理システム７１０と送信機７１５とを含み得る。処理システム７１０および／または送信機７１５は、制御フレームのフィールドを介して第１の情報を第２のデバイスに指示し、制御フレームのフィールドを介して第１の情報とは異なる第２の情報を第２のデバイスに指示するように構成され得る。処理システム７１０および／または送信機７１５は、図６Ａのブロック６０５および６１０と関係して上で論じられた１つまたは複数の機能を実行するように構成され得る。処理システム７１０は、プロセッサ２０４と対応し得る。送信機７１５は、送信機２１０と対応し得る。処理システム７１０は、送信のために制御フレームを提供するためのインターフェースとして動作する回路７１２を含み得る。回路７１２は、図６Ａのブロック６１５と関係して上で論じられた１つまたは複数の機能を実行するように構成され得る。処理システム７１０は、さらに、第１の情報と関連する制御フレームのフィールドにおける１組のビットを決定し、第１の情報を指示するための１組のビットの部分集合を定義するように構成され得る。処理システム７１０および／または送信機７１５は、さらに、定義された部分集合にない１組のビットのうちの少なくとも１つのビットを介して第１の情報とは異なる第２の情報を指示するように構成され得る。処理システム７１０および／または送信機７１５は、さらに、図６Ｂのブロック６５５、６６０、および６６５と関係して上で論じられた１つまたは複数の機能を実行するように構成され得る。回路７１２は、また、図６Ｂのブロック６７０と関係して上で論じられた１つまたは複数の機能を実行するように構成され得る。
【００９３】
[0099]さらに、ある態様では、制御フレームのフィールドを介して第１の情報を指示するための手段と、そのフィールドを介して第１の情報とは異なる第２の情報を指示するための手段とが、１つまたは複数のアルゴリズムを実行する処理システム７１０と送信機７１５とを備え得る。たとえば、処理システム７１０は、指示される第１の情報と第２の情報とを決定し得る。処理システム７１０は、次に、第１の情報と第２の情報とをその中で運ぶ制御フレームを選択し得る。したがって、第１の情報と第２の情報とが決定され、制御フレームが選択された後で、送信機７１５が、選択された制御フレームのフィールドを介して第１の情報を指示し、さらに、そのフィールドを介して第２の情報を指示するために、処理システム７１０によって実行され得る。別の態様では、送信のために制御フレームを提供するための手段が、１つまたは複数のアルゴリズムを実行する回路７１２および／または処理システム７１０を備え得る。
【００９４】
[00100]別の態様では、第１の情報と関連する制御フレームのフィールドにおいて１組のビットを決定するための手段が、１つまたは複数のアルゴリズムを実行する処理システム７１０を備え得る。たとえば、処理システム７１０は、第１の情報を決定し得る。処理システム７１０は、次に、第１の情報と関連する制御フレームを選択し得る。いったん第１の情報が決定され制御フレームが選択されると、処理システムは、第１の情報と関連する制御フレームのフィールドにおいて１組のビットを決定し得る。
【００９５】
[00101]別の態様では、第１の情報を指示するための１組のビットの部分集合を定義するための手段が、１つまたは複数のアルゴリズムを実行する処理システム７１０と送信機７１５とを備え得る。たとえば、上で述べられたように、処理システムは、第１の情報と関連する制御フレームのフィールドにおいて１組のビットを決定し得る。その後で、処理システム７１０は、さらに、第１の情報と関連すべき１組のビットの部分集合を定義し得る。送信機７１５は、次に、ビットの定義された部分集合を介して第１の情報を指示するために、処理システム７１０によって実行され得る。
【００９６】
[00102]ある態様では、定義された部分集合にない１組のビットのうちの少なくとも１つのビットを介して第１の情報とは異なる第２の情報を指示するための手段が、１つまたは複数のアルゴリズムを実行する処理システム７１０と送信機７１５とを備え得る。たとえば、上で述べられたように、処理システム７１０は、第１の情報と関連すべき１組のビットの部分集合を定義し得る。処理システム７１０は、また、第２の情報を決定し得る。いったんビットの部分集合が定義されると、処理システム７１０は、第２の情報と関連すべき定義された部分集合にない１組のビットのうちの少なくとも１つのビットを、決定し得る。その後で、送信機７１５が、定義された部分集合にない１組のビットのうちの少なくとも１つのビットを介して第２の情報を指示するために、処理システム７１０によって実行され得る。
【００９７】
[00103]ある態様では、ＡＣＫフレームを受信するための手段が、１つまたは複数のアルゴリズムを実行する処理システム７１０と受信機７０５とを備え得る。さらなる態様では、アイドル期間の間は送信を実行することを控えるための手段が、１つまたは複数のアルゴリズムを実行する処理システム７１０と送信機７１５とを備え得る。たとえば、アイドル期間が継続時間フィールドにおいて指示されると、処理システム７１０が、アイドル期間によって指示された時間の間スリープすることを決定し得る。その後で、送信機７１５が、アイドル期間の間は送信を実行することを控えるように、処理システム７１０によって実行され得る。別の態様では、制御フレームタイプがＡＣＫ識別拡張に基づいてＡＰに成功裏に指示されたかどうかを決定するために手段が、１つまたは複数のアルゴリズムを実行する処理システム７１０を備え得る。たとえば、ＡＣＫフレームがＡＰから受信されると、処理システムは、ＡＣＫ識別拡張がＡＣＫフレームの継続時間フィールドに含まれたと決定し得る。その後で、処理システム７１０は、ＡＣＫのＩＤ延長を、制御フレームタイプの受信機アドレス（ＲＡ）と送信機アドレス（ＴＡ）とから導かれたビットシーケンスと比較することによって、制御フレームタイプが成功裏にＡＰに指示されたかどうかを決定し得る。
【００９８】
[00104]本明細書で使用する「定義」という用語は、多種多様なアクションを包含する。たとえば、「定義」は、解決、選択、選出、確立などを含み得る。
【００９９】
[00105]本明細書で使用する、項目のリスト「のうちの少なくとも１つ」を指す句は、単一のメンバを含む、それらの項目の任意の組合せを指す。一例として、「Ａ、Ｂ、またはＣのうちの少なくとも１つ」は、ＡまたはＢまたはＣ、またはＡおよびＢ、またはＡおよびＣ、またはＢおよびＣ、またはＡ、ＢおよびＣ、または２Ａ、または２Ｂ、または２Ｃなどをカバーするものとする。
【０１００】
[00106]上述された方法の様々な動作は、様々なハードウェアおよび／またはソフトウェア構成要素、回路、および／またはモジュールなどの、それらの動作を実行することが可能な任意の適切な手段によって実行され得る。一般に、図に示されたどの動作も、その動作を実行することが可能な対応する機能的手段によって実行され得る。
【０１０１】
[00107]本開示に関連して記載された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェア構成要素、または本明細書に記載された機能を実行するように設計されたそれらの任意の組合せを用いて、実施または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装され得る。
【０１０２】
[00108]１つまたは複数の態様では、記載された機能は、ハードウェア、ソフトウェア、ファームウェア、またはそれらの任意の組合せで実装され得る。ソフトウェアで実装された場合、機能は、１つもしくは複数の命令もしくはコードとしてコンピュータ可読媒体上に記憶されるか、またはコンピュータ可読媒体を介して送信され得る。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態の所望のプログラムコードを搬送もしくは記憶するために使用され得るし、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。したがって、いくつかの態様では、コンピュータ可読媒体は、非一時的コンピュータ可読媒体（たとえば、有形媒体）を備えることができる。加えて、いくつかの態様では、コンピュータ可読媒体は、一時的コンピュータ可読媒体（たとえば、信号）を備えることができる。上記の組合せもコンピュータ可読媒体の範囲内に含まれるべきである。
【０１０３】
[00109]本明細書で開示された方法は、記載された方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく修正され得る。
【０１０４】
[00110]記載された機能は、ハードウェア、ソフトウェア、ファームウェア、またはそれらの任意の組合せで実装され得る。ソフトウェアで実装された場合、機能は、１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または命令もしくはデータ構造の形態の所望のプログラムコードを搬送もしくは記憶するために使用され得るし、コンピュータによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピーディスク（disk）およびブルーレイディスク（disc）を含み、ディスク（disk）は、通常、データを磁気的に再生し、ディスク（disc）は、データをレーザで光学的に再生する。
【０１０５】
[0011]したがって、いくつかの態様は、本明細書で提示された動作を実行するためのコンピュータプログラム製品を備えることができる。たとえば、そのようなコンピュータプログラム製品は、本明細書に記載された動作を実行するために、１つまたは複数のプロセッサによって実行可能である命令を記憶した（および／または符号化した）コンピュータ可読媒体を備えることができる。いくつかの態様では、コンピュータプログラム製品はパッケージング材料を含み得る。
【０１０６】
[00112]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１０７】
[00113]さらに、本明細書に記載された方法および技法を実行するためのモジュールおよび／または他の適切な手段は、適用可能な場合にユーザ端末および／または基地局によってダウンロードおよび／または他の方法で取得され得ることを諒解されたい。たとえば、本明細書に記載された方法を実行するための手段の転送を容易にするために、そのようなデバイスはサーバに結合され得る。代替として、本明細書に記載された様々な方法は、ユーザ端末および／または基地局がストレージ手段をデバイスに結合するかまたは提供すると様々な方法を取得することができるように、ストレージ手段（たとえば、ＲＡＭ、ＲＯＭ、コンパクトディスク（ＣＤ）またはフロッピーディスクなどの物理記憶媒体など）を介して提供され得る。その上、本明細書に記載された方法および技法をデバイスに提供するための任意の他の適切な技法が利用され得る。
【０１０８】
[00114]特許請求の範囲は、上記に示された厳密な構成および構成要素に限定されないことを理解されたい。上述された方法および装置の構成、動作および詳細において、特許請求の範囲から逸脱することなく、様々な修正、変更および変形が行われ得る。
【０１０９】
[00115]上記は本開示の態様を対象とするが、本開示の他の態様およびさらなる態様は、その基本的範囲から逸脱することなく考案され得るし、その範囲は以下の特許請求の範囲によって決定される。
以下に本願発明の当初の特許請求の範囲に記載された発明を付記する。
［Ｃ１］制御フレームを用いたワイヤレス通信用の装置であって、前記制御フレームのフィールドを介して第１の情報を指示し、前記フィールドを介して前記第１の情報と異なる第２の情報を指示するように構成された処理システムと、送信のために前記制御フレームを提供するように構成されたインターフェースとを備える、装置。
［Ｃ２］前記第１の情報が好適な変調およびコーディング方式（ＭＣＳ）であり、前記第２の情報が制御フレームタイプであり、前記フィールドが１組の値を備え、前記処理システムが、前記１組の値の第１の部分集合を介して前記好適なＭＣＳを指示し、前記１組の値の第２の部分集合を介して前記制御フレームタイプを指示するように構成された、Ｃ１に記載の装置。
［Ｃ３］前記制御フレームタイプが確認応答（ＡＣＫ）フレームの受信を容易にし、前記制御フレームの送信に基づいて前記ＡＣＫフレームを受信するように構成された第２のインターフェースをさらに備える、Ｃ２に記載の装置。
［Ｃ４］前記ＡＣＫフレームが、アイドル期間またはＡＣＫ識別拡張の少なくとも一方を指示する継続時間フィールドを備えており、前記処理システムが、前記継続時間フィールドが前記アイドル期間を指示する場合は、前記アイドル期間の間は送信を実行することを控え、前記継続時間フィールドが前記ＡＣＫ識別拡張を指示する場合は、前記ＡＣＫ識別拡張に基づき、前記制御フレームタイプが成功裏に指示されたかどうかを決定するように構成される、Ｃ３に記載の装置。
［Ｃ５］前記第１の情報が上りデータ指示（ＵＤＩ）であり、前記第２の情報が制御フレームタイプであり、前記フィールドが１組の値を備え、前記処理システムが、前記１組の値の第１の部分集合を介して前記ＵＤＩを指示し、前記１組の値の第２の部分集合を介して前記制御フレームタイプを指示するように構成された、Ｃ１に記載の装置。
［Ｃ６］前記制御フレームタイプが動作チャネルオフセットを指示する、Ｃ５に記載の装置。
［Ｃ７］前記第２の情報が制御フレームタイプであり、前記フィールドが１組のビットを備え、前記処理システムが、前記第１の情報を指示するための前記１組のビットの部分集合を定義し、前記定義された部分集合にない前記１組のビットのうちの少なくとも１つのビットを介して前記制御フレームタイプを指示するようにさらに構成される、Ｃ１に記載の装置。
［Ｃ８］前記１組のビットの前記部分集合が、前記第１の情報と関連するいくつかの値に基づいて定義される、Ｃ７に記載の装置。
［Ｃ９］前記第１の情報が上りデータ指示（ＵＤＩ）であり、前記１組のビットが１２ビットを備えており、前記処理システムが、前記ＵＤＩを指示するために前記１２ビットのうちの１０ビットを定義し、前記１２ビットのうちで、前記ＵＤＩを指示するために定義されない２ビットを介して前記制御フレームタイプを指示するように構成される、Ｃ７に記載の装置。
［Ｃ１０］前記１２ビットのうちの前記１０ビットが、前記ＵＤＩと関連するいくつかの値に基づいて定義される、Ｃ９に記載の装置。
［Ｃ１１］前記第１の情報が好適な変調およびコーディング方式（ＭＣＳ）であり、ビットの前記部分集合が少なくとも３ビットを備え、前記処理システムが、前記好適なＭＣＳを指示するための１ビットを定義し、前記好適なＭＣＳを指示するために定義されない２ビットを介して前記制御フレームタイプを指示し、または前記好適なＭＣＳを指示するための２ビットを定義し、前記好適なＭＣＳを指示するために定義されない１ビットを介して前記制御フレームタイプを指示するように構成される、Ｃ７に記載の装置。
［Ｃ１２］前記好適なＭＣＳと関連するいくつかの値に基づいて、前記１ビットまたは２ビットが定義される、Ｃ１１に記載の装置。
［Ｃ１３］前記第２の情報が通信のために用いられるチャネルの指示であり、前記フィールドが１組の値を備え、前記処理システムが、前記１組の値の第１の部分集合を介して前記第１の情報を指示し、前記１組の値の第２の部分集合を介して通信のために用いられる前記チャネルを指示するように構成されており、前記第１の情報が、好適な変調およびコーディング方式（ＭＣＳ）または上りデータ指示（ＵＤＩ）を備える、Ｃ１に記載の装置。
［Ｃ１４］制御フレームを用いたワイヤレス通信用の方法であって、前記制御フレームのフィールドを介して第１の情報を指示することと、前記フィールドを介して前記第１の情報と異なる第２の情報を指示することと、送信のために前記制御フレームを提供することとを備える、ワイヤレス通信用の方法。
［Ｃ１５］前記第１の情報が好適な変調およびコーディング方式（ＭＣＳ）であり、前記第２の情報が制御フレームタイプであり、前記フィールドが１組の値を備え、前記方法が、前記１組の値の第１の部分集合を介して前記好適なＭＣＳを指示することと、前記１組の値の第２の部分集合を介して前記制御フレームタイプを指示することとを備える、Ｃ１４に記載の方法。
［Ｃ１６］前記制御フレームタイプが確認応答（ＡＣＫ）フレームの受信を容易にし、前記方法が、前記制御フレームの送信に基づいて前記ＡＣＫフレームを受信することをさらに備える、Ｃ１５に記載の方法。
［Ｃ１７］前記ＡＣＫフレームが、アイドル期間またはＡＣＫ識別拡張の少なくとも一方を指示する継続時間フィールドを備えており、前記方法が、前記継続時間フィールドが前記アイドル期間を指示する場合は、前記アイドル期間の間は送信を実行することを控えることと、前記継続時間フィールドが前記ＡＣＫ識別拡張を指示する場合は、前記ＡＣＫ識別拡張に基づいて、前記制御フレームタイプが成功裏に指示されたかどうかを決定することとをさらに備える、Ｃ１６に記載の方法。
［Ｃ１８］前記第１の情報が上りデータ指示（ＵＤＩ）であり、前記第２の情報が制御フレームタイプであり、前記フィールドが１組の値を備え、前記方法が、前記１組の値の第１の部分集合を介して前記ＵＤＩを指示することと、前記１組の値の第２の部分集合を介して前記制御フレームタイプを指示することとを備える、Ｃ１４に記載の方法。
［Ｃ１９］前記制御フレームタイプが動作チャネルオフセットを指示する、Ｃ１８に記載の方法。
［Ｃ２０］前記第２の情報が制御フレームタイプであり、前記フィールドが１組のビットを備え、前記方法が、前記第１の情報を指示するための前記１組のビットの部分集合を定義することと、前記定義された部分集合にない前記１組のビットのうちの少なくとも１つのビットを介して前記制御フレームタイプを指示することとをさらに備える、Ｃ１４に記載の方法。
［Ｃ２１］前記１組のビットの前記部分集合が、前記第１の情報と関連するいくつかの値に基づいて定義される、Ｃ２０に記載の方法。
［Ｃ２２］前記第１の情報が上りデータ指示（ＵＤＩ）であり、前記１組のビットが１２ビットを備えており、前記方法が、前記ＵＤＩを指示するために前記１２ビットのうちの１０ビットを定義することと、前記１２ビットのうちで、前記ＵＤＩを指示するために定義されない２ビットを介して前記制御フレームタイプを指示することとを備えており、前記１２ビットのうちの前記１０ビットが、前記ＵＤＩと関連するいくつかの値に基づいて定義される、Ｃ２０に記載の方法。
［Ｃ２３］前記第１の情報が好適な変調およびコーディング方式（ＭＣＳ）であり、ビットの前記部分集合が少なくとも３ビットを備え、前記方法が、前記好適なＭＣＳを指示するための１ビットを定義し、前記好適なＭＣＳを指示するために定義されない２ビットを介して前記制御フレームタイプを指示することと、または前記好適なＭＣＳを指示するための２ビットを定義し、前記好適なＭＣＳを指示するために定義されない１ビットを介して前記制御フレームタイプを指示することとを備えており、前記好適なＭＣＳと関連するいくつかの値に基づいて、前記１ビットまたは２ビットが定義される、Ｃ２０に記載の方法。
［Ｃ２４］前記第２の情報が通信のために用いられるチャネルの指示であり、前記フィールドが１組の値を備え、前記方法が、前記１組の値の第１の部分集合を介して前記第１の情報を指示することと、前記１組の値の第２の部分集合を介して通信のために用いられる前記チャネルを指示することとを備えており、前記第１の情報が、好適な変調およびコーディング方式（ＭＣＳ）または上りデータ指示（ＵＤＩ）を備える、Ｃ１４に記載の方法。
［Ｃ２５］制御フレームを用いたワイヤレス通信用の装置であって、第１の情報と関連する前記制御フレームのフィールドにおいて１組のビットを決定することと、前記第１の情報を指示するための前記１組のビットの部分集合を定義することと、前記定義された部分集合にない前記１組のビットのうちの少なくとも１つのビットを介して前記第１の情報と異なる第２の情報を指示することとを行うように構成された処理システムと、送信のために前記制御フレームを提供するように構成されたインターフェースとを備える、装置。
［Ｃ２６］前記１組のビットが、前記フィールドにおいて利用可能ないくつかのビットに基づいて決定され、前記１組のビットの前記部分集合が、前記第１の情報と関連するいくつかの値に基づいて定義される、Ｃ２５に記載の装置。
［Ｃ２７］前記制御フレームが、ヌルデータパケット（ＮＤＰ）電力節約（ＰＳ）ポーリングフレームである、Ｃ２５に記載の装置。
［Ｃ２８］制御フレームを用いたワイヤレス通信用の方法であって、第１の情報と関連する前記制御フレームのフィールドにおいて１組のビットを決定することと、前記第１の情報を指示するための前記１組のビットの部分集合を定義することと、前記定義された部分集合にない前記１組のビットのうちの少なくとも１つのビットを介して前記第１の情報と異なる第２の情報を指示することと、送信のために前記制御フレームを提供することと
を備える、方法。
［Ｃ２９］前記１組のビットが、前記フィールドにおいて利用可能ないくつかのビットに基づいて決定され、前記１組のビットの前記部分集合が、前記第１の情報と関連するいくつかの値に基づいて定義される、Ｃ２８に記載の方法。
［Ｃ３０］前記制御フレームが、ヌルデータパケット（ＮＤＰ）電力節約（ＰＳ）ポーリングフレームである、Ｃ２８に記載の方法。
【図１】
0006426173.tif 000005
【図２】
0006426173.tif 000006
【図３Ａ】
0006426173.tif 000007
【図３Ｂ】
0006426173.tif 000008
【図４】
0006426173.tif 000009
【図５】
0006426173.tif 000010
【図６Ａ】
0006426173.tif 000011
【図６Ｂ】
0006426173.tif 000012
【図７】
0006426173.tif 000013